(57)【要約】【課題】座部のクッション性を向上しつつ、折り畳んだ状態の椅子の収納効率も高く維持することができる椅子を提供する。【解決手段】使用者が座る座部と、前記座部の側部に連結される脚部とを備える椅子であって、前記座部は、クッション性のある座部本体と、前記座部本体を保持する保持部材と、前記保持部材を支持する支持部材と、を有し、前記座部本体は、前記支持部材の上縁部を通る面と下縁部を通る面とにより規定される空間内に延在し、前記脚部は、第１脚部と第２脚部とを有し、前記第１脚部及び第２脚部の開閉に応じて使用状態と折り畳み状態とを変更可能であり、前記折り畳み状態において積み重ねが可能な構成とした。【選択図】  図３
2010154916.tif 000002
【特許請求の範囲】
【請求項１】
使用者が座る座部と、前記座部を支持する脚部とを備える椅子であって、
前記座部は、クッション性のある座部本体と、前記座部本体を保持する保持部材と、前記保持部材を支持する支持部材と、を有し、
前記座部本体は、前記支持部材の上縁部を通る面と下縁部を通る面とにより規定される空間内に延在し、
前記脚部は、第１脚部と第２脚部とを有し、
前記第１脚部及び第２脚部の開閉に応じて使用状態と折り畳み状態とを変更可能であり、前記折り畳み状態において重ねて収納可能な構成としたこと
を特徴とする椅子。
【請求項２】
前記保持部材は、前記座部本体を収容する凹部を有し、前記凹部を構成する底壁の下面は前記支持部材の下縁部と同一面上に延在することを特徴とする請求項１に記載の椅子。
【請求項３】
前記座部本体は、軟質ウレタンから構成されていることを特徴とする請求項１又は請求項２に記載の椅子。
【請求項４】
前記保持部材は、前記座部本体を収容する凹部を有する第１保持部材と、前記第１保持部材を収容する凹部及び前記支持部材に係止可能な係止部を有する第２保持部材と、を有することを特徴とする請求項１乃至請求項３のうち、いずれか１に記載の椅子。
【発明の詳細な説明】
【技術分野】
【０００１】
本発明は、椅子に関し、特に、座部のクッション性を高め、折り畳み状態において重ねて収納可能な椅子に関する。
【背景技術】
【０００２】
従来より、使用者が快適に座れるようにクッション性のある発泡材等を利用した座部を備え、重ねて収納可能な椅子が利用されている。例えば、特許文献１は、クッションを有する座部を備える椅子を開示している。以下に、従来の椅子について図４を参照しつつ説明する。
【０００３】
図４（ａ）は、従来の折り畳んだ椅子３００を水平に複数積み重ねた状態を示す斜視図、図４（ｂ）は、図４（ａ）の線ＩＶ−ＩＶに沿った一の椅子３００の断面図である。椅子３００は、座部３０３と、座部３０３の枠体３３２の側部に連結される前脚フレーム３１１及び後脚フレーム３２１と、前脚フレーム３１１の上端に連結される背もたれ部３０５と、を備える。座部３０３は、クッション性のある座部本体３３１ｂと、座部本体３３１ｂを覆う表装材３３１ｃと、座部本体３３１ｃが載置されるとともに、座部本体３３１ｃを覆う表装材３３１ｃが固定される座板３３１ａと、管状部材から形成され座板３３１ａを支持する略正方形状の枠体３３２と、を有する。なお、座部本体３３１ｂが固定された座板３３１ａは、枠体３３２の上縁部近傍に固定され、枠体３３２により囲まれる空間はほぼ空洞となっている。
【０００４】
上記構成の折り畳まれた椅子３００は、背もたれ部３０５、座部３０３、前脚フレーム３１１、後脚フレーム３２１が平らに折り畳まれて、複数の椅子を折り畳まれた椅子の厚さ方向に積み重ねる構成である。
【０００５】
【特許文献１】特開平８−１８２５６５号公報
【発明の開示】
【発明が解決しようとする課題】
【０００６】
ところで、利用者が椅子に座ったときの座り心地は、座部のクッション性が大きく影響し、クッション部が薄ければクッション性が低下する。そこで、クッション部を厚く設けて、クッション性を向上させ、座り心地のよい椅子を提供することが求められている。特に、折り畳んで積み重ね可能な椅子については、使用時におけるクッション性向上と、重ねたときの収納効率との兼ね合いがきわめて重要となる。
【０００７】
ここで、上述した従来の椅子３００は、枠体３３２の上縁部近傍に座板３３１ａが固定されているが、このような構成において、クッション材３３１ｂのクッション性を向上させるために、クッション材３３１ｂの厚さを増やすとすれば、座板３３１ａを基準として上方向へクッション材３３１ｂの厚さが増えてしまう。その結果、枠体３３２の上縁部を通る面Ｓ１から突出する座部の部分が増加してしまい、椅子の厚さ方向の寸法が大きくなることにより椅子の収納効率が低下してしまう。さらに、折り畳んだ状態の椅子３００の平面性が損なわれ、折り畳んだ椅子を水平に積み重ねると、積み重ねられた椅子の姿勢が不安定になり積み上げられた椅子が倒れる恐れがある。
【０００８】
そこで、本発明は上記課題を鑑みてなされたものであり、座部のクッション性を向上しつつ、折り畳んだ状態の椅子の収納効率も高く維持することができる椅子を提供することを目的とする。
【課題を解決するための手段】
【０００９】
上記課題を解決するための本発明は、使用者が座る座部と、前記座部を支持する脚部とを備える椅子であって、前記座部は、クッション性のある座部本体と、前記座部本体を保持する保持部材と、前記保持部材を支持する支持部材と、を有し、前記座部本体は、前記支持部材の上縁部を通る面と下縁部を通る面とにより規定される空間内に延在し、前記脚部は、第１脚部と第２脚部とを有し、前記第１脚部及び第２脚部の開閉に応じて使用状態と折り畳み状態とを変更可能であり、前記折り畳み状態において重ねて収納可能な構成としたことを特徴とする椅子。
【００１０】
また、本発明の椅子によれば、前記保持部材は、前記座部本体を収容する凹部を有し、前記凹部を構成する底壁の下面は前記支持部材の下縁部と同一面上に延在することを特徴とする。
【００１１】
また、本発明の椅子によれば、前記座部本体は、軟質ウレタンから構成されていることを特徴とする。
【００１２】
また、本発明の椅子によれば、前記保持部材は、前記座部本体を収容する凹部を有する第１保持部材と、前記第１保持部材を収容する凹部及び前記支持部材に係止可能な係止部を有する第２保持部材と、を有することを特徴とする。
【発明の効果】
【００１３】
本発明によれば、椅子の支持部材の上縁部を通る面及び下縁部を通る面により規定される空間内を有効に使うことにより、従来と同様の収納効率を維持しつつも、座部本体において従来よりも高いクッション性を有する椅子を提供することができる。さらに、座部本体の厚さ寸法を、前記空間内に延在させるように増大することにより、折り畳んだ状態の椅子の平面性を確保でき、収納効率（特に水平スタックの効率）を高くできるともに、椅子を安定して積み重ねることができる。
【発明を実施するための最良の形態】
【００１４】
以下、本発明に係る椅子の実施形態について、図１乃至図３を参照しつつ説明する。図１は、開脚状態（使用状態）である椅子１００の斜視図、図２（ａ）は、図１の線ＩＩ−ＩＩに沿った椅子１００の断面図、図２（ｂ）は、折り畳んだ状態の椅子１００を図２（ａ）と同様に示す断面図、図３は、折り畳んだ複数の椅子について図２（ａ）の線ＩＩＩ−ＩＩＩに沿った断面で示す図である。
【００１５】
図１、図２（ａ）、（ｂ）に示されるように、椅子１００は、利用者が座る座部３と、座部３の側部３ａに連結される脚部４、すなわち前脚フレーム（第１脚部）１１と後脚フレーム（第２脚部）２１と、を備える。座部３は、クッション性のある部材（例えば、軟質ウレタン）から成り平面視で略矩形状の座部本体３１と、座部本体３１を保持する保持部材７と、保持部材７を支持する枠体（支持部材）３５と、を有する。そして、前脚フレーム１１及び後脚フレーム２１の開閉に応じて使用状態（図１、図２（ａ）参照）と折り畳み状態（図２（ｂ）参照）とに変更可能であり、折り畳み状態において積み重ね（図３参照）が可能である。
【００１６】
さらに、保持部材７は、周壁部３２ｂが図２（ａ）中の上方に向かい拡開し、座部本体３１を保持する凹部３２ａを有する第１保持部材３２と、第１保持部材３２を保持する凹部３３ａを有し、ねじ等の締結手段により第１保持部材３２と締結される第２保持部材３３と、を有する。支持部材としての枠体３５は、第２保持部材３３を支持することが可能な形状であり、本実施形態では丸みを帯びた４隅を有する四角形状である。また、カバー部材３４は、第１保持部材３２の凹部３２ａに保持された座部本体３１を覆い、第１保持部材３２の周壁部３２ｂの裏面に留め、座部本体３１と第１保持部材３２とをユニット化する部材である。
【００１７】
なお、第１保持部材３２の底面３２ｃには、図３に示すように、例えば、奥行き（ｄ）方向（図３の紙面に対して垂直方向）に延在するリブ６１、６３、６５、６７、６９を等間隔で配置するようにしてもよい。従って、第１保持部材３２は、リブ６１、６３、６５、６７、６９の頂部が、第２保持部材３３の凹部３３ａを構成する底壁３３ｅの内面３３ｄに当接した状態で、第２の保持部材３３の凹部３３ａに載置される。このように構成すれば、利用者が座ったときにかかる荷重に対する剛性を確保することができる。
【００１８】
第２保持部材３３の凹部３３ａは、例えば、平面視で略矩形状である。また、第２保持部材３３は、凹部３３ａの周囲に設けられて、図２（ａ）における下方へ開口する溝である係止部３３ｂを備え、その係止部３３ｂに枠体３５が嵌まり込み、第２保持部材３３が枠体３５に支持される。
【００１９】
ねじ等の固定手段により第２保持部材３３と第１保持部材３２とを固定すると、凹部３２ａが隣り同士のリブ（６１、６３、６５、６７、６９）の間において撓むことで反撥力を発生し、強固な固定を維持することができる。結果として、第１及び第２の保持部材３２、３３間を確実に固定できる。
【００２０】
第２保持部材３３の凹部３３ａを構成する底壁３３ｅの下面３３ｃは、図３に示すように、一例として、枠体３５の下縁部３５ｂを通る面Ｓ２とほぼ面一に配置し、さらに、第１保持部材３２に保持されている座部本体３１の厚さ（ｔ）方向の長さは、枠体３５の下縁部３５ｂを通る面Ｓ２の近傍から、枠体３５の上縁部３５ａを通る面Ｓ１を超えて延在するように寸法づけされている。すなわち、第１及び第２の保持部材３２、３３は、座部本体３１が、枠体３５の上縁部３５ａを通る面Ｓ１と下縁部３５ｂを通る面Ｓ２と、枠体３５と、により規定される空間内に配置できるように構成されている。
【００２１】
本実施形態の第１保持部材３２及び第２保持部材３３によれば、従来技術では、有効に利用されていなかった枠体３５の直径に相当する長さ分（面Ｓ１と面Ｓ２との間の長さ）を、座部本体３１の厚さ方向寸法を増やすために利用している。結果として、椅子１００全体の厚さ方向寸法を大きくすることなく、座部３のクッション性を向上させることができる。さらに、椅子１００を折り畳んだときの、椅子１００の厚さ（ｔ）方向への凹凸も生じることがなく、椅子１００の収納効率、特に水平に積み重ねたときのスタック効率を高めることができる。座部３のクッション性をさらに向上させるため、座部本体３１を厚く構成する場合、座部本体３１は、面Ｓ１と面Ｓ２と枠体３５とにより規定される空間をさらに大きく超えてしまうことになるが、このような構成としたとしても、前記空間を有効利用していなかった従来技術による椅子に比べれば、折り畳み状態における椅子１００の厚さを抑えることができる点で好適である。なお、座部本体３１の全体が、面Ｓ１と面Ｓ２と枠体３５とにより規定される空間内に完全に収容されるように、座部３を構成することも可能である。
【００２２】
なお、本実施形態では、支持部材である枠体３５は、保持部材７の周囲を完全に包囲する閉じた領域を形成する部材であるが、本発明はこの構成に限定されない。すなわち、椅子１００が備えるべき耐荷重性能を満足し、保持部材７を確実に支持することができる構成であれば、略コの字形状等の始点と終点のある開いた領域を形成する支持部材としたり、保持部材７の左右両側部を支持可能な一対の棒状部材とした支持部材を採択してもよい。また、上面視で略矩形状の枠体としたが、円形状、楕円形状、Ｕ字状、Ｃ字状など、種々の形状の枠体とすることも可能である。
【００２３】
さらに、本実施形態では、支持部材である枠体３５は、閉じた矩形状の領域を取り囲む部材であるため、座部本体３１を配置できる領域が枠体３５により制限されるが、支持部材が上述のように開いた領域を形成する場合には、座部本体３１が延在する領域は、前述の面Ｓ１もしくはＳ２が広がる方向、すなわち面方向については制限されない。よって、本発明は、座部本体３１が、面Ｓ１と面Ｓ２とにより規定される空間内に延在させることができる構成の保持部材７を備える椅子であればよい。
【００２４】
なお、本実施形態では、保持部材７を構成する第１保持部材３２と第２保持部材３３とを別体としたが、一体構成とすることも可能である。保持部材７が一体成形された場合には、第１保持部材３２の凹部３２ａを構成する底壁及びリブ６１、６３、６５、６７、６９の厚さ（ｔ）方向に関する長さ分だけ、さらに座部本体３１の厚さを大きくすることが可能である。また、座部本体３１は、カバー部材３４を用いて第１保持部材３２に固定する構成としたが、カバー部材３４を用いずに、座部本体３１を第１の保持部材３２に固定する構成とすることも可能である。
【００２５】
座部本体３１及びカバー部材３２は軟質ウレタン、ポリプロピレン等の弾性を有する材料を利用できる。枠体３５の材料としては、椅子の軽量化や加工性を実現できれば、アルミニウム、アルミニウム合金等、種々の材料が用いることができる。
【００２６】
以下に、本実施形態の椅子１００のその他の部材の構成について説明する。
第２保持部材３３の係止部３３ｂの外周縁には、折り畳まれた状態の椅子１００同士を積み重ねる場合に、椅子１００同士が互いにずれないように係止手段が設けられている。係止手段は、椅子１００が折り畳まれた状態で、第２保持部材３３の厚さ（ｔ）方向に関し、カバー部材３４より上方に突出し、かつ、後脚フレーム２１の側縁部２１ｋには達しないように寸法づけされた突起部７１と、第２保持部材３３の厚さ（ｔ）方向に関し、第２保持部材３３の下面３３ｃを通る面Ｓ２を越えて突出し、滑り防止部材５１の端面５１ａに達しないように寸法づけされている２つの突起部間に形成される凹部７３と、から構成される。
【００２７】
この係止手段は、第２保持部材３２の幅（ｗ）方向で対向する２か所に設けられている。また、突起部７１と凹部７３は、一の折り畳んだ状態の椅子１００の突起部７１が、他の折り畳んだ状態の椅子１００の凹部７３内に係合する相補的な形状となっており、突起部７１が凹部７３に係合すると椅子１００同士の図３の紙面に対して垂直方向への移動が係止される。
【００２８】
また、図１に示すように、前脚フレーム１１は、一例として、正面視で略Ｕ字形状を採択すればよく、床に平行に延びる水平部１１ａと、水平部１１ａの長手方向両端にそれぞれ連続し、湾曲する屈曲部２４、２４と、屈曲部２４、２４のそれぞれに連続し座部３の側部３ａを通り上方に延びる起立部１１ｂ、１１ｂと、を有する。図１中の対向する側部３に連結される起立部１１ｂ、１１ｂの上端部は、起立部１１ｂ、１１ｂが平行になるよう、背もたれ部１２で固定されている。
前脚フレーム１１は、その平坦部１１ｅ（図３参照）の所定位置で、座部３の枠体３５に固定された第１のピン４１により座部３に対して回転可能に連結されている。
【００２９】
さらに、図３に示すように、前脚フレーム１１は、曲げに対する強度を高める補強手段としての第１のリブ１３及び第２のリブ１５が設けられた管状部材から構成され、前脚フレーム１１の全長に亘り中空部１１ｃを有する。また、前脚フレーム１１は、断面長円形状であり、互いに平行に延在する平坦部１１ｄ、１１ｅと、平坦部１１の両端を連結する湾曲部１１ｆ、１１ｇと、から構成される。管状部材に折り曲げ加工は、折り曲げることで成形される屈曲部２４の曲率半径方向に関して、平坦部１１ｄ、１１ｅが対向するよう行う。屈曲部２４に第１及び第２のリブ１３、１５が設けられているため、割れ、しわが生じることや、破損することなく屈曲させることができる。
【００３０】
なお、前脚フレーム１１は、アルミニウム、アルミニウム合金等の軽量で加工しやすい材料を利用するのが好適であり、また、リブ付きの管状部材は、押し出し成形等により作製できる。
【００３１】
後脚フレーム２１は、一例として、正面視で略Ｕ字形状を採択すればよく、床に平行に延びる水平部２１ａと、水平部２１ａの長手方向両端に湾曲して連続する屈曲部２４、２４と、屈曲部２４、２４のそれぞれに連続し座部３の側部３ａの近傍に延びる起立部２１ｂ、２１ｂと、を有する。
【００３２】
後脚フレーム２１は、中空部２１ａを全長に亘り有する管状部材から形成される。従って、後脚フレーム２１を構成する管状部材には、リブが設けられていない。そこで、後脚フレーム２１の屈曲部２５に、曲げに対する強度を高める不図示の補強部材を嵌合させている。
【００３３】
後脚フレーム２１の起立部２１ｂは、連結部５を介して前脚フレーム１１に連結している。連結部５は、前脚フレーム１１に固定される第２のピン４３と、第２のピン４３により軸支される第１の連結片４６と、一端部が第１の連結片４６に連結され、他端部が後脚フレーム２１の中空部２１ｃ内に摺動可能に収容されるロッド部４５と、を有する。すなわち、ロッド部４５は、後脚フレーム２１の開口する上端部２１ｈから中空部２１ｃ内に入れ子式に連結されており、ロッド部４５と後脚フレーム２１とは、摺動して伸縮可能な構成となる。また第２のピン４５は、第１のピン４１から背もたれ部１２側に所定距離離れた位置に固定されている。
【００３４】
また、後脚フレーム２１の上端部２１ｈの近傍には、第２の連結片４７が設けられ、第２の連結片４７は、座部３の枠体３５の所定位置に固定された第３のピン４９に回動可能に連結されている。なお、後脚フレーム２１は、アルミニウム、アルミニウム合金等の軽量で加工しやすい材料を利用するのが好適である。
【００３５】
図１に示すように、背もたれ部１２は、前脚フレーム１１の起立部１１ｂ、１１ｂ間に装着された状態で、奥行き（ｄ）方向の座部３ａ側へ凸状に湾曲している。また、図２（ａ）に示されるように、背もたれ部１２の縦断面形状は、略くの字形状に構成され、表面１２ａが凸形状であり、裏面１２ｂが凹形状である。図３に示すように、折り畳んだ状態の椅子１００を複数重ねると、重ねられた椅子１００のうち、最下部に該当する椅子１００ｃの背もたれ部１２の表面１２ａが、その上の椅子１００ｂの背もたれ部１２の裏面１２ｂに当接し、さらに、椅子１００ｂの背もたれ部１２の表面１２ａには、最上部の椅子１００ａの背もたれ部１２の裏面１２ｂが、係合する。よって、積み重ねられた椅子１００ａ乃至１００ｃの後脚フレーム１１の起立部１１ｂの長手方向（図３の紙面に垂直方向）への移動が規制される。前述した第２の保持部材３２に設けられた係止手段と、背もたれ部１２の係止手段が協働することにより、積み重ねられた椅子１００の移動を確実に係止できる。
【００３６】
なお、本実施形態では、ロッド部４５が後脚フレーム２１の中空部２１ｃ内に収容される構成であるため、後脚フレーム２１は、前脚フレーム１１のように、全長に亘りリブを一体成形することはできない。しかし、例えば、ロッド部４５が後脚フレーム２１の外周面に沿って摺動する構成や、ロッド部４５の形状を、前脚フレーム２１のリブを有する中空部２１ｃ内を摺動できる構成とすれば、前脚フレーム２１と同じリブを設けた管状部材を使用することができる。
【００３７】
また、本実施形態では、床の上に載置された椅子１００の滑りを防止するため、前脚フレーム１１及び後脚フレーム２１の水平部１１ａ、２１ａには、互いに離間して２つの滑り防止部材５１、５３が装着されている。
【００３８】
上記構成の椅子１００は、使用するための開脚状態（図２（ａ）参照）から、椅子１００を折り畳んだ閉脚状態（図２（ｂ）参照）へと変更でき、その逆に閉脚状態から使用するための開脚状態へと変更できる。例えば、一方の手で背もたれ部１２を持ち、他方の手で座部３の先端部３ｃを掴み、矢印Ｒ方向（図２（ａ）参照）に回転させると、第１のピン４５を中心として座部３が時計回りに回転し、第３のピン４９に連結されている第２の連結片４７が時計回りに回転し、第２の連結片４７に連結された後脚フレーム２１が下方に引っ張られ、ロッド部４５が中空部２１ｃ内から伸長する。最終的に側面視において前脚フレーム１１、後脚フレーム２１、座部３が重なり合って平たく畳まれる。従って、図２（ｂ）に示すように、折り畳まれた状態の椅子１００を、収容効率良く、特に水平スタック効率よく、互いに複数個積み重ねることができる（図３参照）。
【００３９】
本実施形態のように、前脚フレーム１１の中空部１１ｃには、その全長にわたりリブを設ける構成としたが、後脚フレームと同様に、補強部材を嵌合させる構成とすることもできるし、屈曲部２４のみにリブを設ける構成とすることもできる。
【００４０】
また、座部本体３１や保持部材７の形状は、平面視において略矩形状としたが、円形状、半円形状、楕円形状、ひし形形状等の任意の形状とすることができる。
【００４１】
この発明は、その本質的特性から逸脱することなく数多くの形式のものとして具体化することができる。よって、上述した実施形態及び実施例は専ら説明上のものであり、本発明を制限するものではないことは言うまでもない。
【図面の簡単な説明】
【００４２】
【図１】開脚状態である椅子１００の斜視図である。
【図２】（ａ）は、図１の線ＩＩ−ＩＩに沿った椅子１００の断面図、（ｂ）は、折り畳んだ状態の椅子１００を図２（ａ）と同様に示す断面図である。
【図３】折り畳んだ複数の椅子について図２（ａ）の線ＩＩＩ−ＩＩＩに沿った断面で示す図である。
【図４】（ａ）は、従来の折り畳んだ椅子を複数積み重ねた状態を示す斜視図であり、（ｂ）は、図４（ａ）の線ＩＶ−ＩＶに沿った一の椅子の断面図である。
【符号の説明】
【００４３】
３    座部
４    脚部
５    連結部
１１    前脚フレーム（第１脚部）
１２    背もたれ
１３    第１のリブ
１５    第２のリブ
２１    後脚フレーム（第２脚部）
２５    屈曲部
２７    屈曲領域
２９    補強部材
３１    座部本体
３２    第１保持部材（保持部材）
３２ａ  凹部
３２ｂ  周壁部
３３    第２保持部材（保持部材）
３３ａ  凹部
３３ｂ  係止部
３３ｃ  下面
３３ｅ  底壁
３５    枠体（支持部材）
３５ａ  上縁部
３５ｂ  下縁部
４１    第１のピン
４３    第２のピン
４５    ロッド部
４６    第１の連結片
４７    第２の連結片
４９    第３のピン
１００  椅子
ｄ    座部の奥行き方向
ｗ    座部の幅方向
【図１】
2010154916.tif 000003
【図２】
2010154916.tif 000004
【図３】
2010154916.tif 000005
【図４】
2010154916.tif 000006